(57)【要約】【課題】部品点数を削減して、製造コストを低減することができるとともに、使用時に袋本体の開口部を適切に封止することができるネット包装袋を提供する。【解決手段】ネット材よりなる袋本体１１の開口部１１ａの一側外面にヘッダシート１２を溶着する。ヘッダシート１２の内面には粘着層１３を設ける。袋本体１１の開口部１１ａの他側外面には、ヘッダシート１２の粘着層１３に貼着可能な平坦状の被貼着面１５を形成する。【選択図】図２
0003138748.tif 000002
【実用新案登録請求の範囲】
【請求項１】
ネット材よりなる袋本体の開口部の一側外面にヘッダシートを溶着し、そのヘッダシートの内面には粘着層を設け、前記袋本体の開口部の他側外面にはヘッダシートの粘着層が貼着可能な平坦状の被貼着面を形成したことを特徴とするネット包装袋。
【請求項２】
前記被貼着面は、袋本体の開口部の他側外面を溶圧して、前記ネット材の線条を偏平にすることにより形成されていることを特徴とする請求項１に記載のネット包装袋。
【考案の詳細な説明】
【技術分野】
【０００１】
この考案は、例えばオクラ、枝豆、椎茸等の小野菜、その他の小物品を収納することに適するネット包装袋に関するものである。
【背景技術】
【０００２】
従来、この種のネット包装袋としては、例えば特許文献１に開示されるような構成が提案されている。この従来構成においては、図４に示すように、合成樹脂のネット材よりなる袋本体２１の開口部２１ａの一側外面に、合成樹脂よりなる幅広（図４の上下方向寸法）のヘッダシート２２が溶着されている。袋本体２１の開口部２１ａの他側外面には、合成樹脂よりなる幅狭の小片フィルム２３が溶着されている。ヘッダシート２２の内面には粘着層２４が設けられ、その粘着層２４の表面には被覆紙２５が貼着されて、粘着層２４が被覆されている。
【０００３】
そして、このネット包装袋の使用時には、袋本体２１内に開口部２１ａから収納物を投入して収納した状態で、粘着層２４の表面から被覆紙２５を剥離する。その後、図５に示すように、ヘッダシート２２を小片フィルム２３側に折り曲げて、粘着層２４を小片フィルム２３の外面に貼着する。この貼着により、袋本体２１の開口部２１ａが封止されて、収納物が袋本体２１内に収納状態で保持される。
【特許文献１】特開２０００−３１８７７６号公報
【考案の開示】
【考案が解決しようとする課題】
【０００４】
以上のように、この従来のネット包装袋においては、袋本体２１の開口部２１ａの他側外面に小片フィルム２３が溶着され、この小片フィルム２３の外面にヘッダシート２２側の粘着層２４が貼着されるようになっている。このため、部品点数が多くなるとともに、小片フィルム２３を溶着する手間もかかり、ネット包装袋の製造コストをアップさせてしまうという問題があった。さらには、袋本体２１の開口部２１ａの両側にヘッダシート２２と小片フィルム２３とが存在するため、それらが収容物の出し入れの邪魔になる問題もあった。
【０００５】
このような問題に対処するために、前記従来構成の小片フィルム２３を省略して、ヘッダシート２２側の粘着層２４を袋本体２１の開口部２１ａの他側外面に直接に貼着させることも考えられる。しかしながら、このように構成した場合には、袋本体２１を形成するネット材の線条が断面円形状になっているため、袋本体２１の開口部２１ａの他側外面に対する粘着層２４の貼着面積を十分に確保することができなくなる。よって、袋本体２１の開口部２１ａを適切に封止することができないという別の問題があった。
【０００６】
この考案は、このような従来の技術に存在する問題点に着目してなされたものである。その目的は、部品点数を削減して、製造コストを低減することができるとともに、使用時に袋本体の開口部を適切に封止することができるネット包装袋を提供することにある。
【課題を解決するための手段】
【０００７】
上記の目的を達成するために、この考案は、ネット材よりなる袋本体の開口部の一側外面にヘッダシートを溶着し、そのヘッダシートの内面には粘着層を設け、前記袋本体の開口部の他側外面にはヘッダシートの粘着層が貼着可能な平坦状の被貼着面を形成したことを特徴としている。
【０００８】
従って、この考案のネット包装袋においては、従来構成とは異なり、袋本体の開口部の他側外面に小片フィルムを設ける必要がなく、ヘッダシート側の粘着層を開口部の他側外面の被貼着面に対して直接に貼着させることができる。よって、従来構成に比較して、部品点数を削減することができて、製造コストを低減することができる。また、被貼着面が平坦状に形成されているため、粘着層と被貼着面との貼着面積を十分に確保することができて、袋本体の開口部を適切に封止することができる。また、前記開口部に小片フィルムが設けられていないため、収納物の出し入れをスムーズに行うことができる。
【０００９】
さらに、前記の構成において、前記被貼着面は、袋本体の開口部の他側外面を溶圧して、前記ネット材の線条を偏平にすることにより形成するとよい。このように構成した場合には、袋本体の開口部の他側外面に簡単な加工を施すことにより、平坦状の被貼着面を形成することができる。よって、製造工程を削減することが可能になる。
【考案の効果】
【００１０】
以上のように、この考案によれば、部品点数及び製造工程を削減して、製造コストを低減することができるとともに、使用時に袋本体の開口部を適切に封止することができ、しかも、収納物の出し入れをスムーズに行うことができるという効果を発揮する。
【考案を実施するための最良の形態】
【００１１】
以下に、この考案の一実施形態を、図１〜図３に基づいて説明する。
図１及び図２に示すように、この実施形態のネット包装袋においては、袋本体１１が合成樹脂のネット材により下端を閉鎖した袋状に形成されている。この袋本体１１は、非収納状態において扁平形状である。袋本体１１の上端には、内部に小野菜等の収納物を出し入れするための開口部１１ａが設けられている。袋本体１１の開口部１１ａの一側外面には、合成樹脂よりなるヘッダシート１２が溶着されている。ヘッダシート１２の内面には粘着剤よりなる粘着層１３が設けられ、その粘着層１３の表面にはパラフィン紙等よりなる被覆紙１４が易剥離可能に貼着されて、粘着層１３が被覆されている。
【００１２】
図１及び図２に示すように、前記袋本体１１の開口部１１ａの他側外面には、ヘッダシート１２の粘着層１３に貼着可能な平坦状の被貼着面１５が形成されている。この被貼着面１５は、袋本体１１の開口部１１ａの他側外面を溶圧して、袋本体１１を構成するネット材の線条１６を偏平に変形させることにより形成されている。すなわち、袋本体１１の開口部１１ａの他側外面において、開口部１１ａの端縁から所定幅Ｗの部分では、袋本体１１を構成するネット材の線条１６が断面円形状から偏平状に溶圧されて、被貼着面１５が形成されている。
【００１３】
さて、このネット包装袋の使用時には、袋本体１１内に開口部１１ａから小野菜等の収納物を収納するとともに、粘着層１３の表面から被覆紙１４を剥離する。この状態で、図３に示すように、ヘッダシート１２を被貼着面１５側に折り曲げて、粘着層１３を被貼着面１５に貼着する。この貼着により、袋本体１１の開口部１１ａが封止されて、収納物が袋本体１１内に収納状態で保持される。収納物を取り出す場合には、ヘッダシート１２を粘着層１３から剥離させれば、開口部１１ａを取り出しのために開放させることができる。
【００１４】
以上のように、この実施形態のネット包装袋においては、以下の効果がある。
（１）  図４及び図５に示す従来構成とは異なって、袋本体１１の開口部１１ａの他側外面に小片フィルムを設けることなく、平坦状の被貼着面１５が形成されている。このため、ネット包装袋の使用時には、ヘッダシート１２側の粘着層１３を開口部１１ａの他側外面の被貼着面１５に対して直接に貼着させることができる。従って、この実施形態においては、従来構成に比較して、ネット包装袋を構成する部品の点数を削減することができて、製造コストを低減することができる。
【００１５】
（２）  また、被貼着面１５が平坦状に形成されているため、ネット包装袋の収納状態おける使用時に、粘着層１３と被貼着面１５との貼着面積を十分に確保することができて、袋本体１１の開口部１１ａを適切に封止することができる。
【００１６】
（３）  さらに、この実施形態では、前記被貼着面１５が、ネット材よりなる袋本体１１の開口部１１ａの他側外面を溶圧して、ネット材の線条１６を断面円形状から偏平状にすることにより形成されている。このため、袋本体１１の開口部１１ａの他側外面に簡単な加工を施すことによって、平坦状の被貼着面１５を容易に形成することができる。
【００１７】
（４）  しかも、袋本体１１の開口部１１ａを開放した状態では、その開口部１１ａの一側のみにヘッダシート１２が設けられているだけであるため、収納物の出し入れをスムーズに行うことができる。
【００１８】
なお、この考案は前記実施形態に限定されるものではなく、開口部１１ａの反対側の端部も開放して、ヘッダシート１２等を設けてもよい。
【図面の簡単な説明】
【００１９】
【図１】一実施形態のネット包装袋を示す斜視図。
【図２】図１のネット包装袋の部分拡大断面図。
【図３】同ネット包装袋の使用状態を示す部分断面図。
【図４】従来のネット包装袋の部分断面図。
【図５】図４のネット包装袋の使用状態を示す部分断面図。
【符号の説明】
【００２０】
１１…袋本体、１１ａ…開口部、１２…ヘッダシート、１３…粘着層、１５…被貼着面、１６…線条。
【図１】
0003138748.tif 000003
【図２】
0003138748.tif 000004
【図３】
0003138748.tif 000005
【図４】
0003138748.tif 000006
【図５】
0003138748.tif 000007